【手続補正書】
【提出日】平成16年3月1日(2004.3.1)
【手続補正１】
【補正対象書類名】明細書
【補正対象項目名】特許請求の範囲
【補正方法】変更
【補正の内容】
【特許請求の範囲】
【請求項１】
電源より供給される電圧をチョッパ電圧に変換し、そのチョッパ電圧を第１のラインと第２のラインとの間に発生させるチョッパ回路において、
インダクタンス素子と、
電力を蓄電する蓄電手段と、
前記インダクタンス素子と前記電源とを含む第１の閉ループを形成して前記インダクタンス素子に前記電源の電力を供給し、所定期間経過後に前記第１の閉ループを開放することにより、前記インダクタンス素子の電圧をチョッパ電圧に変換する第１のチョッパ手段と、
前記第１のチョッパ手段により変換されたチョッパ電圧が予め定められたチョッパ基準電圧以下になった場合に、前記インダクタンス素子と前記蓄電手段とを含む第２の閉ループを形成することにより、前記チョッパ電圧により前記蓄電手段を充電する充電手段と、
前記インダクタンス素子と前記蓄電手段とを含む第３の閉ループを形成し、所定期間経過後に前記第３の閉ループを開放することにより、前記インダクタンス素子の電圧をチョッパ電圧に変換する第２のチョッパ手段と
を備えることを特徴とするチョッパ回路。
【請求項２】
請求項１記載のチョッパ回路において、
前記充電手段は、
前記第１のチョッパ手段により変換されたチョッパ電圧が前記チョッパ基準電圧以下になったことを検出した後、前記第１のチョッパ手段により前記第１の閉ループが形成されると、前記第２の閉ループを開放することを特徴とするチョッパ回路。
【請求項３】
請求項１または請求項２記載のチョッパ回路において、
前記電源より電力が供給されているか否かを検出する電力検出手段を有し、
前記第１のチョッパ手段は、前記電力検出手段の検出結果に基づいて、電力供給時に前記インダクタンス素子の電圧をチョッパ電圧に変換し、
前記第２のチョッパ手段は、
前記蓄電手段の電圧が予め定められた蓄電基準電圧以上になったか否かを検出する蓄電電圧検出手段を有し、
前記蓄電電圧検出手段と前記電力検出手段の検出結果に基づいて、前記蓄電手段の電圧が前記蓄電基準電圧以上で、かつ、非電力供給時の場合は、前記インダクタンス素子の電圧をチョッパ電圧に変換し、
前記蓄電手段の電圧が前記蓄電基準電圧以下になると、前記第３の閉ループを開放することを特徴とするチョッパ回路。
【請求項４】
交流電源より供給される電圧をチョッパ電圧に変換し、そのチョッパ電圧を第１のラインと第２のラインとの間に発生させるチョッパ回路において、
インダクタンス素子と、
電力を蓄電する第１及び第２の蓄電手段と、
前記インダクタンス素子と前記交流電源とを含む第１の閉ループを形成して前記インダクタンス素子に前記交流電源の電力を供給し、所定期間経過後に前記第１の閉ループを開放することにより、前記インダクタンス素子の電圧をチョッパ電圧に変換する第１のチョッパ手段と、
前記第１のチョッパ手段により変換され、前記インダクタンス素子の一方の端子側に発生したチョッパ電圧が予め定められたチョッパ基準電圧以下になった場合に、前記インダクタンス素子と前記第１の蓄電手段とを含む第２の閉ループを形成することにより、前記チョッパ電圧により前記第１の蓄電手段を充電する第１の充電手段と、
前記第１のチョッパ手段により変換され、前記インダクタンス素子の他方の端子側に発生したチョッパ電圧が前記チョッパ基準電圧以下になった場合に、前記インダクタンス素子と前記第２の蓄電手段とを含む第３の閉ループを形成することにより、前記チョッパ電圧により前記第２の蓄電手段を充電する第２の充電手段と、
前記インダクタンス素子と前記第１の蓄電手段とを含む第４の閉ループを形成し、所定期間経過後に前記第４の閉ループを開放することにより、前記インダクタンス素子の電圧をチョッパ電圧に変換する第２のチョッパ手段と、
前記インダクタンス素子と前記第２の蓄電手段とを含む第５の閉ループを形成し、所定期間経過後に前記第５の閉ループを開放することにより、前記インダクタンス素子の電圧をチョッパ電圧に変換する第３のチョッパ手段と
を備えることを特徴とするチョッパ回路。
【請求項５】
請求項４記載のチョッパ回路において、
前記第１の充電手段は、
前記第１のチョッパ手段により変換され、前記インダクタンス素子の一方の端子側に発生したチョッパ電圧が前記チョッパ基準電圧以下になったことを検出した後、前記第１のチョッパ手段により前記第１の閉ループが形成されると、前記第２の閉ループを開放し、
前記第２の充電手段は、
前記第１のチョッパ手段により変換され、前記インダクタンス素子の他方の端子側に発生したチョッパ電圧が前記チョッパ基準電圧以下になったことを検出した後、前記第１のチョッパ手段により前記第１の閉ループが形成されると、前記第３の閉ループを開放することを特徴とするチョッパ回路。
【請求項６】
請求項４または請求項５記載のチョッパ回路において、
前記交流電源より電力が供給されているか否かを検出する電力検出手段を有し、
前記第１のチョッパ手段は、前記電力検出手段の検出結果に基づいて、電力供給時に前記インダクタンス素子の電圧をチョッパ電圧に変換し、
前記第２のチョッパ手段は、
前記第１の蓄電手段の電圧が予め定められた蓄電基準電圧以上になったか否かを検出する第１の蓄電電圧検出手段を有し、
前記第１の蓄電電圧検出手段と前記電力検出手段の検出結果に基づいて、前記第１の蓄電手段の電圧が前記蓄電基準電圧以上で、かつ、非電力供給時の場合は、前記インダクタンス素子の電圧をチョッパ電圧に変換し、
前記第１の蓄電手段の電圧が前記蓄電基準電圧以下になると、前記第４の閉ループを開放し、
前記第３のチョッパ手段は、
前記第２の蓄電手段の電圧が予め定められた蓄電基準電圧以上になったか否かを検出する第２の蓄電電圧検出手段を有し、
前記第２の蓄電電圧検出手段と前記電力検出手段の検出結果に基づいて、前記第２の蓄電手段の電圧が前記蓄電基準電圧以上で、かつ、非電力供給時の場合は、前記インダクタンス素子の電圧をチョッパ電圧に変換し、
前記第２の蓄電手段の電圧が前記蓄電基準電圧以下になると、前記第５の閉ループを開放することを特徴とするチョッパ回路。
【請求項７】
インダクタンス素子と、電力を蓄電する蓄電部とを有し、電源より供給される電圧をチョッパ電圧に変換し、そのチョッパ電圧を第１のラインと第２のラインとの間に発生させるチョッパ回路の制御方法において、
前記インダクタンス素子と前記電源とを含む第１の閉ループを形成して前記インダクタンス素子に前記電源の電力を供給し、所定期間経過後に前記第１の閉ループを開放することにより、前記インダクタンス素子の電圧をチョッパ電圧に変換する第１のチョッパ工程と、
前記第１のチョッパ工程により変換されたチョッパ電圧が予め定められたチョッパ基準電圧以下になった場合に、前記インダクタンス素子と前記蓄電部とを含む第２の閉ループを形成することにより、前記チョッパ電圧により前記蓄電部を充電する充電工程と、
前記インダクタンス素子と前記蓄電部とを含む第３の閉ループを形成し、所定期間経過後に前記第３の閉ループを開放することにより、前記インダクタンス素子の電圧をチョッパ電圧に変換する第２のチョッパ工程と
を備えることを特徴とするチョッパ回路の制御方法。
【請求項８】
インダクタンス素子と、電力を蓄電する第１及び第２の蓄電部と、交流電源より供給される電圧をチョッパ電圧に変換し、そのチョッパ電圧を第１のラインと第２のラインとの間に発生させるチョッパ回路の制御方法において、
前記インダクタンス素子と前記交流電源とを含む第１の閉ループを形成して前記インダクタンス素子に前記交流電源の電力を供給し、所定期間経過後に前記第１の閉ループを開放することにより、前記インダクタンス素子の電圧をチョッパ電圧に変換する第１のチョッパ工程と、
前記第１のチョッパ工程により変換され、前記インダクタンス素子の一方の端子側に発生したチョッパ電圧が予め定められたチョッパ基準電圧以下になった場合に、前記インダクタンス素子と前記第１の蓄電部とを含む第２の閉ループを形成することにより、前記チョッパ電圧により前記第１の蓄電部を充電する第１の充電工程と、
前記第１のチョッパ工程により変換され、前記インダクタンス素子の他方の端子側に発生したチョッパ電圧が前記チョッパ基準電圧以下になった場合に、前記インダクタンス素子と前記第２の蓄電部とを含む第３の閉ループを形成することにより、前記チョッパ電圧により前記第２の蓄電部を充電する第２の充電手段と、
前記インダクタンス素子と前記第１の蓄電部とを含む第４の閉ループを形成し、所定期間経過後に前記第４の閉ループを開放することにより、前記インダクタンス素子の電圧をチョッパ電圧に変換する第２のチョッパ工程と、
前記インダクタンス素子と前記第２の蓄電部とを含む第５の閉ループを形成し、所定期間経過後に前記第５の閉ループを開放することにより、前記インダクタンス素子の電圧をチョッパ電圧に変換する第３のチョッパ行程と
を備えることを特徴とするチョッパ回路の制御方法。
【請求項９】
請求項１乃至請求項６のいずれかに記載のチョッパ回路と、
前記チョッパ回路のチョッパ電圧を蓄電する第３の蓄電手段と
を備えることを特徴とするチョッパ式充電回路。
【請求項１０】
請求項９記載のチョッパ式充電回路を内蔵するとともに、前記チョッパ式充電回路から給電される電力によって動作することを特徴とする電子機器。
【請求項１１】
請求項９記載のチョッパ式充電回路と、
前記チョッパ式充電回路から給電される電力によって時刻を計時して表示するする時刻表示手段と
を備えることを特徴とする計時装置。